(57)【特許請求の範囲】
【請求項１】
水中に起立姿勢で設置された筒状の気泡排出部の上端開口から気泡を水中に排出する気泡排出装置において、
前記気泡排出部から水中に排出される気泡を衝突させて細分させる細分部材と、
前記気泡排出部の上端開口と前記細分部材とが所定の隙間を隔てて対向するように、前記気泡排出部の上端開口付近における周方向略等角度間隔の位置で、当該上端開口付近と前記細分部材とを連結する棒状の連結部材と、を備え、
前記気泡排出部は、起立姿勢に保持された状態で水底付近に係留される揚水筒であり、
前記気泡排出装置は、前記揚水筒内に気泡を供給する気泡供給部材を備え、この気泡によって、揚水筒の下端開口から上端開口に向けて揚水した下層水を表層に循環させる空気揚水装置であって、
前記細分部材は、前記揚水筒の上端開口と対向するように配置され、下向き頂部が前記揚水筒の中心付近に位置して、周囲部が上向き錐形状に広がった空気細分部で構成され、
前記連結部材は、前記揚水筒の内側に向かって傾いた状態で前記上端開口付近と前記空気細分部とを連結していることを特徴とする気泡排出装置。
【請求項２】
水中に起立姿勢で設置された筒状の気泡排出部の上端開口から気泡を水中に排出する気泡排出装置において、
前記気泡排出部から水中に排出される気泡を衝突させて細分させる細分部材と、
前記細分部材に取り付けられて当該細分部材に浮力を与えるフロートと、
前記気泡排出部の上端開口と前記細分部材とが所定の隙間を隔てて対向するように、前記気泡排出部の上端開口付近における周方向略等角度間隔の位置で、当該上端開口付近と前記細分部材とを連結するチェーンからなる連結部材と、を備え、
前記気泡排出部は、起立姿勢に保持された状態で水底付近に係留される揚水筒であり、
前記気泡排出装置は、前記揚水筒内に気泡を供給する気泡供給部材を備え、この気泡によって、揚水筒の下端開口から上端開口に向けて揚水した下層水を表層に循環させる空気揚水装置であって、
前記細分部材は、前記揚水筒の上端開口と対向するように配置され、下向き頂部が前記揚水筒の中心付近に位置して、周囲部が上向き錐形状に広がった空気細分部で構成され、
前記連結部材は、前記揚水筒の内側に向かって傾いた状態で前記上端開口付近と前記空気細分部とを連結していることを特徴とする気泡排出装置。
【請求項３】
前記揚水筒の下端部に、下向き錐形状のスカート部が形成され、このスカート部の下方に、スカート部の内面と所定の隙間を隔てて対向する外面に、気泡を噴出する散気孔が形成された上向き錐形状の散気管部材が配置されていることを特徴とする請求項１又は２に記載の気泡排出装置。
【発明の詳細な説明】
【技術分野】
【０００１】
本発明は、気泡排出装置に関する。
【背景技術】
【０００２】
従来、水中に設置された気泡排出部から気泡を水中に排出する気泡排出装置としては、例えば、空気揚水装置や散気装置等がある。
【０００３】
空気揚水装置は、図４（ａ）に示すように、起立姿勢に保持された状態で水底付近に係留される揚水筒２０と、この揚水筒２０内に気泡を間欠的に噴出する送気管（気泡排出部）２１とを備えている。そして、この気泡（空気塊）によって、揚水筒２０の下端開口から上端開口に向けて揚水した下層水を表層に循環させるものである（特許文献１参照）。
【０００４】
また、図４（ｂ）に示すように、起立姿勢に保持された状態で水底付近に係留される揚水筒２０と、この揚水筒２０内に気泡を連続的に噴出する散気管部材（気泡排出部）２２とを備え、この気泡（小気泡）によって、揚水筒２０の下端開口から上端開口に向けて揚水した下層水を表層に循環させるようにしたものもある（特許文献２参照）。
【０００５】
この循環により、表層の水が攪拌されることで、水温の均一化や藻類の発生を抑制することができる。
【０００６】
特許文献１の間欠的空気揚水装置の気泡は、比較的大きな空気塊として水中に間欠的に放出されるだけであるため、表層の水が攪拌されにくい。
【０００７】
特許文献２の連続式空気揚水装置の気泡は、特許文献１の空気塊よりも小さい気泡が連続的に放出されるため、特許文献１と比較すれば、表層の水が攪拌されやすい。
【０００８】
一方、散気装置は、散気管部材（気泡排出部）から小さい気泡を水中に散気することで、表層の周囲の水を連行し上下循環流による水温の鉛直方向の均一化を図るものである。また、気泡の上昇過程において水中に酸素の供給を行うものである。
【先行技術文献】
【特許文献】
【０００９】
【特許文献１】特開平１０−１６５９８８号公報
【特許文献２】特開２０１０−１１９９０４号公報
【発明の概要】
【発明が解決しようとする課題】
【００１０】
しかしながら、特許文献１のような空気塊のような気泡はもとより、特許文献２や散気装置のような小気泡であっても、これらの気泡をより細分化（微細気泡化）できれば、各気泡の表面積の増加で水の連行効率が向上して、表層の水をより効果的に攪拌することができる。
【００１１】
本発明は、前記知見に基づいてなされたもので、水中に放出される気泡をより細分化（微細気泡化）することで、各気泡の表面積の増加で水の連行効率が向上する気泡排出装置を提供することを目的とするものである。
【課題を解決するための手段】
【００１２】
前記課題を解決するために、本発明は、水中に起立姿勢で設置された筒状の気泡排出部の上端開口から気泡を水中に排出する気泡排出装置において、前記気泡排出部から水中に排出される気泡を衝突させて細分させる細分部材と、前記気泡排出部の上端開口と前記細分部材とが所定の隙間を隔てて対向するように、前記気泡排出部の上端開口付近における周方向略等角度間隔の位置で、当該上端開口付近と前記細分部材とを連結する棒状の連結部材と、を備え、前記気泡排出部は、起立姿勢に保持された状態で水底付近に係留される揚水筒であり、前記気泡排出装置は、前記揚水筒内に気泡を供給する気泡供給部材を備え、この気泡によって、揚水筒の下端開口から上端開口に向けて揚水した下層水を表層に循環させる空気揚水装置であって、前記細分部材は、前記揚水筒の上端開口と対向するように配置され、下向き頂部が前記揚水筒の中心付近に位置して、周囲部が上向き錐形状に広がった空気細分部で構成され、前記連結部材は、前記揚水筒の内側に向かって傾いた状態で前記上端開口付近と前記空気細分部とを連結していることを特徴とする気泡排出装置を提供するものである。
【００１３】
また、本発明は、水中に起立姿勢で設置された筒状の気泡排出部の上端開口から気泡を水中に排出する気泡排出装置において、前記気泡排出部から水中に排出される気泡を衝突させて細分させる細分部材と、前記細分部材に取り付けられて当該細分部材に浮力を与えるフロートと、前記気泡排出部の上端開口と前記細分部材とが所定の隙間を隔てて対向するように、前記気泡排出部の上端開口付近における周方向略等角度間隔の位置で、当該上端開口付近と前記細分部材とを連結するチェーンからなる連結部材と、を備え、前記気泡排出部は、起立姿勢に保持された状態で水底付近に係留される揚水筒であり、前記気泡排出装置は、前記揚水筒内に気泡を供給する気泡供給部材を備え、この気泡によって、揚水筒の下端開口から上端開口に向けて揚水した下層水を表層に循環させる空気揚水装置であって、前記細分部材は、前記揚水筒の上端開口と対向するように配置され、下向き頂部が前記揚水筒の中心付近に位置して、周囲部が上向き錐形状に広がった空気細分部で構成され、前記連結部材は、前記揚水筒の内側に向かって傾いた状態で前記上端開口付近と前記空気細分部とを連結していることを特徴とする気泡排出装置を提供するものである。
【００１４】
前記揚水筒の下端部に、下向き錐形状のスカート部が形成され、このスカート部の下方に、スカート部の内面と所定の隙間を隔てて対向する外面に、気泡を噴出する散気孔が形成された上向き錐形状の散気管部材が配置されている構成とすることができる。
【発明の効果】
【００１５】
本発明によれば、水中に設置された気泡排出部と対向する細分部材を配置して、この細分部材に、気泡排出部から水中に排出される気泡を衝突させて潰すことで、気泡を細分化し、微細気泡として散気させるようにしたものである。
【００１６】
したがって、微細気泡による表面積の増加で水の連行効率が向上して、表層の水が効果的に攪拌されるようになる。また、細分部材を気泡排出部の上端開口付近に連結部材で連結する構成であるため、既存の気泡排出装置であっても、気泡排出部に細分部材を連結部材で連結するだけで適用できるようになる。
【００１７】
特に、気泡排出装置は空気揚水装置であり、揚水筒の上端開口と対向する細分部材を配置して、この細分部材に、揚水筒の上端開口から水中に排出される気泡を衝突させて潰して細分化し、微細気泡として散気させるようにしている。したがって、微細気泡による表面積の増加で水の連行効率が向上して、表層の水が効果的に攪拌されるようになる。
【００１８】
しかも、細分部材を上向き円錐形状に広がった空気細分部で構成しているので、構造がきわめて簡単で堅牢であり、コスト安であるとともに、メンテナンスも不要になる。
【００１９】
上記構成において、さらに、揚水筒の下端部に下向き錐形状のスカート部を形成し、スカート部の下方に、上向き錐形状の散気管部材を配置すれば、下層水を揚水筒の下端開口から揚水する際に、散気管部材の上向き錐形状部の外面とスカート部の内面との間の隙間に下層水がスムーズにガイドされるようになる。その結果、揚水筒のほほ真下の底泥が巻き込まれにくくなって、底泥を表層に撒き散らすおそれが少なくなり、水質浄化を充分に果たせるようになる。また、上向き錐形状の散気管部材から気泡を連続的に噴出するようにしたから、揚水筒から空気塊を一気に放出することで下層水を表層に揚水する間欠式の空気揚水装置と比べて、揚水効果が格段に向上するようになる。さらに、揚水筒内に障害物（散気管等）が全く無いので、水の流れがスムーズになり、揚水効果が向上するようになる。
【図面の簡単な説明】
【００２０】
【図１】本発明の第１実施形態に係る空気揚水装置の側面断面図である。
【図２】（ａ）は散気管部材の平面図、（ｂ）は細分部材の斜視図である。
【図３】本発明の第２実施形態に係る散気装置の側面図である。
【図４】（ａ）は特許文献１の揚水装置の側面図、（ｂ）は特許文献２の揚水装置の側面断面図である。
【発明を実施するための形態】
【００２１】
以下、本発明を実施するための最良の形態について、図面を参照しながら詳細に説明する。図１は、第１実施形態の空気揚水装置１の側面断面図である。
【００２２】
この空気揚水装置１は、ダム湖等の水底２に係留されて、水底付近の深層（下層）の水をエアーレーションにより表層に循環（矢印ａ参照）させるものである。
【００２３】
空気揚水装置１は、円筒状の揚水筒７を備え、この揚水筒７の下端部には、水底２のシンカー３に連結部１１を介して固定された散気管部材８の係留部材（チェーン等）４が係止されている。また、揚水筒７の上部には、自立用フロート５が取付けられて、揚水筒７が起立姿勢に保持された状態で、係留部材４により水底付近に係留されるようになる。
【００２４】
散気管部材（気泡供給部材）８は、上向き中空円錐形状（シャープドコーン）に形成されて、図２（ａ）のように、散気管部材８の頂部付近には、円周上等角度間隔で複数個の散気孔８ａが形成されている。
【００２５】
この散気管部材８の側部の入口８ｂに送気管９が接続されて、送気管９から散気管部材８に送気された空気を気泡ｇとして、各散気孔８ａから連続的に噴出するようになる。この気泡ｇの上昇流によって、下層水ｊを表層に揚水するようになる。
【００２６】
揚水筒７の下端開口７ａには、下向き円錐形状のスカート部１０が形成されている。このスカート部１０の内面は、散気管部材８の外面と所定の隙間Ｓ１を隔てて対向するように、係留部材４の長さが設定されている。なお、スカート部１０と散気管部材８は多角錐形状であってもよい。
【００２７】
この場合、内筒７は、フロート５で浮力が付与されていて、係留部材４が上方に引っ張られた状態となるから、係留部材４によって、内筒７のスカート部１０の内面と散気管部材８の外面とが所定の隙間Ｓ１が隔てられるようになる。
【００２８】
一方、揚水筒７の上端開口７ｂと所定の隙間Ｓ２を隔てて対向するように配置され、この上端開口７ｂから水中に排出される気泡を衝突させて細分させる細分部材１５が設けられている。
【００２９】
具体的には、細分部材１５は、下向き頂部１５ａが揚水筒７の中心付近に位置して、図２（ｂ）のように、周囲部が上向き円錐形状に広がった空気細分部１５ｂで構成されている。この空気細分部１５ｂは、揚水筒７の上端開口７ｂと同じか、それよりも大径に設定されている。なお、細分部材１５は多角錐形状であってもよい。
【００３０】
細分部材１５は、揚水筒７の上端開口７ｂの付近に円周上略等角度間隔（本例では１２０度）で棒状の連結部材１７で連結されている。なお、連結部材１７はチェーンのようなものであってもよい。この場合には、細分部材１５にフロートを取付け、このフロートで浮力を付与して、連結部材１７を上方に引っ張った状態とすることで、内筒７の上端開口７ｂとの間に所定の隙間Ｓ２が隔てられるようになる。
【００３１】
前記のように空気揚水装置１を構成すれば、送気管９から散気管部材８に送気された空気が気泡ｇとして、揚水筒７内に各散気孔８ａから連続的に噴出するようになるから、この気泡ｇの上昇流によって、下層水ｊが表層に揚水されるようになる。
【００３２】
そして、揚水筒７の上端開口７ｂから気泡ｇが水中に散気される時に、細分部材１５の上向き円錐形状に広がった空気細分部１５ｂに衝突する。これにより、気泡ｇが潰されることで、空気細分部１５ｂを経て水中に散気される時には気泡ｇが細分化され、細分化された微細気泡ｈとして散気されるようになる。
【００３３】
したがって、気泡ｇがより細分化された微細気泡ｈとして散気されるため、微細気泡ｈによる表面積の増加で水の連行効率が向上して、表層の水が効果的に攪拌されるようになる。
【００３４】
また、細分部材１５は、上向き円錐形状に広がった空気細分部１５ｂで構成できるから、構造がきわめて簡単で堅牢であり、コスト安であるとともに、メンテナンスも不要になる。
【００３５】
さらに、既存の空気揚水装置であっても、揚水筒７に細分部材１５を連結部材１７で連結するだけで適用できるようになる。
【００３６】
また、本実施形態では、揚水筒７のほぼ真下のシンカー３の上部に、上向き円錐形状の散気管部材８を配置するとともに、揚水筒７の下端部にスカート部１０を形成している。
【００３７】
したがって、下層水ｊを揚水筒７の下端開口７ａから揚水する際に、散気管部材８の上向き錐形状部の外面とスカート部１０の内面との間の隙間Ｓ１に下層水ｊがスムーズにガイドされるようになる。その結果、揚水筒７のほほ真下の底泥が巻き込まれにくくなって、底泥を表層に撒き散らすおそれが少なくなり、水質浄化を充分に果たせるようになる。
【００３８】
また、上向き錐形状の散気管部材８から気泡ｇを連続的に噴出するようにしたから、揚水筒７から空気塊を一気に放出することで下層水を表層に揚水する間欠式の空気揚水装置と比べて、揚水効果が格段に向上するようになる。
【００３９】
さらに、揚水筒７内に障害物（散気管等）が全く無いので、水の流れがスムーズになり、揚水効果が向上するようになる。
【００４０】
また、揚水筒７はフロート５で浮力が付与されているから、揚水筒７と散気管部材８（シンカー３）とを係留部材４で連結・係留すれば、揚水筒７のスカート部１０と散気管部材８が所定の隙間Ｓ１を隔てて常に対向するように維持できるようになる。
【００４１】
前記実施形態は、連続式空気揚水装置であったが、間欠式空気揚水装置にも適用可能である。
【００４２】
図３は、第２実施形態の散気装置１８の側面図である。この散気装置（単筒型曝気装置）１８は、ダム湖等の水底２に設置されて、円筒状の散気管部材１９の上端開口から小さい気泡を水中に散気することで、表層の周囲の水を連行し上下循環流（矢印ａ参照）による水温の鉛直方向の均一化を図るものである。また、気泡の上昇過程において水中に酸素の供給を行うものである。
【００４３】
このような散気装置１８においても、空気揚水装置１と同様にして、細分部材１５を散気管部材１９の上端開口と所定の隙間を隔てて対向するように配置することができる。
【００４４】
そして、散気管部材１９から水中に散気される気泡を細分部材１５に衝突させて潰すことで、気泡を細分化し、微細気泡として散気させるようにできる。したがって、微細気泡による表面積の増加で水の連行効率が向上して、表層の水が効果的に攪拌されるようになる。これにより、表層の周囲の水を連行し上下循環流による水温の鉛直方向の均一化がより図れるとともに、気泡の上昇過程において水中により酸素の供給を行うことができる。
【００４５】
なお、散気管部材１９は、図３のような円筒状である必要はなく、例えば図１のような偏平な散気管部材８であってもよい。
【符号の説明】
【００４６】
１      空気揚水装置（気泡排出装置）
２      水底
３      フロート
７      揚水筒（気泡排出部）
７ａ    下端開口
７ｂ    上端開口
８      散気管部材（気泡供給部材）
１５    細分部材
１５ａ  下向き頂部
１５ｂ  空気細分部
１７    連結部材
１８    散気装置（気泡排出装置）
１９    散気管部材（気泡排出部）
ｇ      気泡
ｈ      微細気泡
ｊ      下層水
Ｓ１，Ｓ２  所定の間隔
【図１】
0005940768.tif 000002
【図２】
0005940768.tif 000003
【図３】
0005940768.tif 000004
【図４】
0005940768.tif 000005